(57)【特許請求の範囲】
【請求項１】
物体側から像側へ向かって順に、正の屈折力を有する第１群、絞り、正の屈折力を有する第２群を配してなり、  
第１群と第２群を異なる繰り出し量で変位させて有限の物体距離への合焦を行い、
第１群は、２枚以上の負レンズと１枚の正レンズを含んで４枚以下のレンズで構成され、最も物体側の２枚のレンズは共に負レンズで、最も物体側の負レンズは凸面を物体側に向けた負メニスカスレンズであり、  
第２群は、正・負レンズの接合レンズを少なくとも１組含む５枚のレンズで構成され、
第１群の、最も物体側に位置する２枚の負レンズの空気間隔：ｄ１１−２、第１群の物体側から２番目に配置される負レンズと、この負レンズの像側に隣接するレンズの空気間隔：ｄ１２−３が、条件：  
（１）  ０．０ ＜ ｄ１２−３／ｄ１１−２ ＜ ０．４   
を満足することを特徴とする結像レンズ。
【請求項２】
請求項１記載の結像レンズにおいて、  
無限遠におけるレンズ全系の焦点距離：Ｆ、第１群の最も物体側に位置する負レンズの焦点距離：ｆ１１および像面側の曲率半径：Ｒ１２、第１群の物体側から２番目に位置する負レンズの物体側の曲率半径：Ｒ１３が、条件：  
（２） １．２ ＜ ｜ｆ１１／Ｆ｜ ＜ １．８   
（３） −０．７ ＜ Ｒ１２／Ｒ１３ ≦ ０．０     
を満足することを特徴とする結像レンズ。
【請求項３】
請求項１または２記載の結像レンズにおいて、  
第１群の、最も物体側の負レンズの焦点距離：ｆ１ｎ１、最も物体側の２枚の負レンズの合成焦点距離：ｆ１ｎ１２が、条件： 
（４） ０．７ ＜ ｆ１ｎ１／ｆ１ｎ１２ ＜ ２．３   
を満足することを特徴とする結像レンズ。  
【請求項４】
請求項１〜３の任意の１に記載の結像レンズにおいて、
第１群の最も像側が正・負レンズの接合レンズで、この接合レンズの正の屈折力を持つレンズのｄ線の屈折率：Ｎｄ３およびアッベ数：νｄ３、上記接合レンズの負の屈折力を持つレンズのｄ線の屈折率：Ｎｄ４およびアッベ数：νｄ４が、条件：  
（５） ３０ ＜ Ｎｄ３・νｄ３−Ｎｄ４・νｄ４ ＜ ５０   
を満足することを特徴とする結像レンズ。
【請求項５】
請求項１〜４の任意の１に記載の結像レンズにおいて、  
第１群の正レンズが両凸レンズであり、  
第２群の最も物体側が両凸レンズであり、  
第１群の両凸レンズの焦点距離：ｆ１ｅ、第２群の最も物体側の両凸レンズの焦点距離：ｆ２１が、条件：   
（６） ０．９ ＜ ｆ１ｅ／ｆ２１ ＜ ２．２   
を満足することを特徴とする結像レンズ。
【請求項６】
請求項１〜５の任意の１に記載の結像レンズにおいて、
第１群の最も物体側の負レンズの物体側面の曲率半径：Ｒ１１、第２群の最も像側のレンズの像側面の曲率半径：Ｒ２ｅが、条件：  
（７） ０．５ ＜ ｜Ｒ１1／Ｒ２ｅ｜ ＜ １．５   
を満足することを特徴とする結像レンズ。
【請求項７】
請求項１〜６の任意の１に記載の結像レンズにおいて、
第１群の最も像側のレンズの像側面の曲率半径：Ｒ１ｅ、第２群の最も物体側のレンズの像側面の曲率半径：Ｒ２１が、条件：  
（８） １．４ ＜ ｜Ｒ１ｅ／Ｒ２１｜ ＜ ３４．０   
を満足することを特徴とする結像レンズ。
【請求項８】
請求項１〜７の任意の１に記載の結像レンズにおいて、
第１群の最も像側のレンズ面と、第２群の最も物体側のレンズ面が、共に凸形状であることを特徴とする結像レンズ。
【請求項９】
請求項１〜８の任意の１に記載の結像レンズにおいて、
物体が無限遠の時の第１群と第２群の間のレンズ間隔：Ｄ１∞、基準最短撮像距離に合焦した時の第１群と第２群の間のレンズ間隔：Ｄ１ｔ、物体位置が無限遠の時の第２群と像面の間隔：Ｄ２∞、上記基準最短撮像距離に合焦した時の第２群と像面の間隔：Ｄ２ｔが、Ｌｏｇを常用対数として、条件：  
（９） −１．０＜Ｌｏｇ｜（Ｄ１∞−Ｄ１ｔ）／（Ｄ２∞−Ｄ２ｔ）｜＜−０．４ 
を満足することを特徴とする結像レンズ。
【請求項１０】
請求項１〜９の任意の１に記載の結像レンズを撮影用光学系として有するカメラ装置。
【請求項１１】
請求項１０記載のカメラ装置をカメラ機能部として有する携帯情報端末装置。
【発明の詳細な説明】
【技術分野】
【０００１】
この発明は、結像レンズおよびカメラ装置および携帯情報端末装置に関する。  
結像レンズは「単焦点の結像レンズ」であり、カメラ装置は所謂銀塩カメラを含む各種のカメラ、特に、デジタルカメラ、ビデオカメラ、監視カメラ等として実施でき、このカメラ装置をカメラ機能部として有する携帯情報端末装置として実施できる。
【背景技術】
【０００２】
近年、ＣＣＤやＣＭＯＳ等の固体撮像素子を使用する撮像装置として、デジタルスチルカメラやデジタルビデオカメラが普及し、特にデジタルスチルカメラは銀塩カメラに代わる撮像装置として広く普及している。
【０００３】
撮像装置に用いられる固体撮像素子の高画素化が進むに伴い、撮像レンズとしての結像レンズにも、光学性能の一段と高性能化が求められている。撮像装置の携帯性を考慮したコンパクト化も進み、撮像装置の市場では「高性能化とコンパクト化を両立させたもの」が主流を占め、撮像レンズにも高性能のみならずコンパクト化が求められている。
【０００４】
また、撮影速度も高速化が進み、撮像レンズとして「より明るいレンズ」が求められている。
【０００５】
デジタルカメラ用の撮像レンズの画角については、スナップ写真等で手軽に撮影できるある程度の広角が好まれており、３５ｍｍ写真換算で「２８ｍｍ相当の焦点距離」に相当する半画角：３８度が画角の目安の一つとなっている。
【０００６】
「単焦点の広角レンズ」の代表的な例として知られたレトロフォーカスタイプは、前群が負の屈折力を有し、射出瞳位置を像面から遠ざけられることができるが、主点が全レンズ系の後方にあるので、屈折力配置の非対称性が大きくなり、コマ収差や歪曲収差、倍率色収差の補正が不完全となりがちである。レトロフォーカスタイプの撮像レンズとしては特許文献１、２を始め、種々のものが知られている。
【０００７】
また「前群が正の屈折力を有し、画角の広い撮像レンズ」も特許文献３、４等により知られている。
【０００８】
特許文献１の結像レンズは「負正２群タイプ」であるが、具体的に示された実施例では、レンズ全長が長く、歪曲収差が−３％程度ある。  
特許文献２の結像レンズも「負正２群タイプ」でレンズ枚数も少ないが、やはり全長が長く、像面湾曲の補正の点でもなお改良の余地がある。
【０００９】
特許文献３の結像レンズは「正群先行の２群タイプ」で、コンパクト性もよく、収差も良好に補正されているが「コマ収差の色差」について十分な考慮がされていない。
【００１０】
特許文献４の結像レンズも「正群先行の２群タイプ」であるが、具体的な実施例において、歪曲収差が約−１０％あり、収差補正の点でなお改良の余地がある。  
ところで、結像レンズにより結像した像を固体撮像素子で撮像する場合、固体撮像素子の画素数が増加の一途をたどり、１０００万画素以上という高画素数の固体撮像素子の使用が普及しつつある。  
固体撮像素子の光導電性セルやその配列ピッチを大きくすると、固体撮像素子の光感度が高くなり、撮像画像に対する被写界深度も浅くなり、写真レンズの場合、メリットも大きい。
【００１１】
しかしながら、上記配列ピッチも大きく、撮像面サイズの大きい固体撮像素子を用いる場合、これに撮影画像を結像させる結像レンズは「光学全長が長く、レンズ径が大きくなりがち」であり、撮像装置をデジタルスチルカメラ等として実施した場合、装置サイズが大型化して携帯性が悪くなりがちである。
【００１２】
装置サイズをコンパクト化するために、結像レンズを撮像面に近づけると、撮像面のサイズが大きいために、撮像面に入射する光束の画角が大きくなって収差補正が困難になることも考えられる。
【発明の概要】
【発明が解決しようとする課題】
【００１３】
この発明は、良好な性能をもちコンパクト性に優れた新規な結像レンズ系を実現可能とし、これを撮像レンズとすることによりコンパクトで性能良好なカメラ装置・携帯情報端末装置の実現を課題とする。
【００１４】
この発明はまた、撮像面サイズが大きい高画素数の固体撮像素子を用いる場合においても、対固体撮像素子サイズで撮像装置を大型化することなく、良好な性能を持つ結像レンズの実現を課題とする。
【課題を解決するための手段】
【００１５】
請求項１記載の発明の結像レンズは「単焦点の結像レンズ」であって、物体側から像側へ向かって順に、正の屈折力を有する第１群、正の屈折力を有する第２群を配し、第１群と第２群との間に絞りを有してなり、以下の如き特徴を有する。
【００１６】
即ち、有限の物体距離への合焦を「第１群と第２群を異なる繰り出し量で変位」させて行う。
【００１７】
「第１群」は、２枚以上の負レンズと１枚の正レンズを含んで４枚以下のレンズで構成され、最も物体側の２枚のレンズは共に負レンズであり、最も物体側の負レンズは「凸面を物体側に向けた負メニスカスレンズ」である。
【００１８】
従って、第１群は、負レンズ２枚と正レンズ１枚とによる３枚構成、もしくは、これらのほかに１枚の負レンズを持つ４枚構成である。
【００１９】
「第２群」は、正・負レンズの接合レンズを少なくとも１組含む５枚のレンズで構成される。
【００２０】
即ち、請求項１記載の結像レンズは「正・正の２群構成」であり、レンズ枚数は８枚もしくは９枚である。
【００２１】
第１群の、最も物体側に位置する２枚の負レンズの空気間隔：ｄ１１−２、第１群の物体側から２番目に配置される負レンズと、絞りを介して、この負レンズの像側に隣接するレンズとの空気間隔：ｄ１２−３が、条件：
（１） ０．０ ＜ ｄ１２−３／ｄ１１−２ ＜ ０．４   
を満足する。
【００２２】
請求項１記載の結像レンズは、上記構成に加えて、無限遠におけるレンズ全系の焦点距離：Ｆ、第１群の最も物体側に位置する負レンズの、焦点距離：ｆ１１および像面側の曲率半径：Ｒ１２、第１群の物体側から２番目に位置する負レンズの物体側の曲率半径：Ｒ１３が、条件：
（２）    １．２  ＜  ｜ｆ１１／Ｆ｜  ＜  １．８    
（３）  −０．７  ＜  Ｒ１２／Ｒ１３  ≦  ０．０  
を満足することが好ましい（請求項２）。
【００２３】
請求項１または２記載の結像レンズはまた、第１群の、「最も物体側の負レンズ」の焦点距離：ｆ１ｎ１、「最も物体側の２枚の負レンズ」の合成焦点距離：ｆ１ｎ１２が、条件：  
（４）  ０．７  ＜  ｆ１ｎ１／ｆ１ｎ１２  ＜  ２．３    
を満足することが好ましい（請求項３）。
【００２４】
請求項１〜３の任意の１に記載の結像レンズは、第１群の最も像側が「正・負レンズの接合レンズ」で、この接合レンズの「正の屈折力を持つレンズ」のｄ線の屈折率：Ｎｄ３およびアッベ数：νｄ３、上記接合レンズの「負の屈折力を持つレンズ」のｄ線の屈折率：Ｎｄ４およびアッベ数：νｄ４が、条件：
（５）    ３０  ＜  Ｎｄ３・νｄ３−Ｎｄ４・νｄ４  ＜  ５０    
を満足することが好ましい（請求項４）。
【００２５】
請求項１〜４の任意の１に記載の結像レンズは、第１群の正レンズが両凸レンズで、第２群の最も物体側が両凸レンズであり、「第１群の両凸レンズ」の焦点距離：ｆ１ｅ、「第２群の最も物体側の両凸レンズ」の焦点距離：ｆ２１が、条件：  
（６）    ０．９  ＜  ｆ１ｅ／ｆ２１  ＜  ２．２    
を満足することが好ましい（請求項５）。
【００２６】
請求項１〜５の任意の１に記載の結像レンズは、第１群の「最も物体側の負レンズの物体側面」の曲率半径：Ｒ１１と、第２群の「最も像側のレンズの像側面」の曲率半径：Ｒ２ｅとが、条件：
（７）    ０．５  ＜  ｜Ｒ１1／Ｒ２ｅ｜  ＜  １．５      
を満足することが好ましい。
【００２７】
請求項１〜６の任意の１に記載の結像レンズはまた、第１群の「最も像側のレンズの像側面」の曲率半径：Ｒ１ｅ、第２群の「最も物体側のレンズの像側面」の曲率半径：Ｒ２１が、条件：
（８）    １．４  ＜  ｜Ｒ１ｅ／Ｒ２１｜  ＜  ３４．０      
を満足することが好ましい（請求項７）。
【００２８】
請求項１〜７の任意の１に記載の結像レンズは、第１群の「最も像側のレンズ面」と、第２群の「最も物体側のレンズ面」が、共に凸形状であることが好ましい（請求項８）。
【００２９】
請求項１〜８の任意の１に記載の結像レンズは、物体が無限遠の時の第１群と第２群の間のレンズ間隔：Ｄ１∞、基準最短撮像距離に合焦した時の第１群と第２群の間のレンズ間隔：Ｄ１ｔ、物体位置が無限遠の時の第２群と像面の間隔：Ｄ２∞、上記基準最短撮像距離に合焦した時の第２群と像面の間隔：Ｄ２ｔが、Ｌｏｇを常用対数として、条件：
（９）  −１．０＜Ｌｏｇ｜（Ｄ１∞−Ｄ１ｔ）／（Ｄ２∞−Ｄ２ｔ）｜＜−０．４  
を満足することが好ましい（請求項９）。
【００３０】
ここに「基準最短撮像距離」は、収差補正の面から「設計上の光学性能」を保ちつつ、撮像可能な最短撮像距離である。従って、基準最短撮像距離は設計条件として定まる。実際上は「基準最短撮像距離よりも短い撮像距離」で撮像を行なっても、実用上十分な撮影が可能である。
【００３１】
後述する実施例では、基準最短撮像距離は２００ｍｍに設定されている。
【００３２】
この発明のカメラ装置は、上記請求項１〜９の任意の１に記載の結像レンズを、撮影用光学系として有するカメラ装置である（請求項１０）。  
この発明の携帯情報端末装置は、請求項１０記載のカメラ装置をカメラ機能部として有する（請求項１１）。
【００３３】
上記の如く、この発明の結像レンズの第１群は、２枚以上の負レンズと１枚の正レンズを含んで４枚以下のレンズで構成されるので、具体的には、負レンズ２枚と正レンズ１枚の３枚構成、もしくは、負レンズ３枚と正レンズ１枚の４枚構成である。
【００３４】
そして、第１群の最も物体側の２枚のレンズは共に負レンズであり、最も物体側の負レンズは「凸面を物体側に向けた負メニスカスレンズ」である、この負メニスカスレンズの像側に隣接して配される負レンズは、後述の実施例に示すように「負メニスカスレンズ」とすることもできるし、「平凹レンズ」とすることもでき、さらには「両凹レンズ」とすることもできる。
【００３５】
第１群の最も物体側に２枚の負メニスカスレンズを配する場合には、これら負メニスカスレンズが「互いの凹面を対向させる」配置が好適である。
【００３６】
第１群をレンズ３枚で構成する場合、最も像側には正レンズが配置されるが、この正レンズは請求項５のように「両凸レンズ」とするのがよい。
【００３７】
第１群を４枚のレンズで構成する場合には、第１群の最も像側のレンズには、正レンズと負レンズを物体側からこの順序に配置するのが良く、この場合、正・負レンズを接合レンズとしても良い。これらの場合にも、正レンズは両凸レンズがよく、その像側に配置される負レンズは負メニスカスレンズとするのがよい。
【００３８】
なお、「絞り」の配置位置は「第１群と像面」との間が可能であるが、瞳収差の発生を抑え、前絞りや、後絞りによる第１群、第２群のレンズ径の極端な大型化を防ぎ、コンパクト化が可能である等の観点から、配置位置として最も好適なのは、請求項１記載の「第１群と第２群の間」である。
【００３９】
上記の如く、この発明の結像レンズでは、第１群の最も物体側に２枚の負レンズを配しているが、このように、２枚の負レンズを連続して配置することにより、特に、倍率色収差、コマ収差の良好な補正が可能となる。
【００４０】
また、物体側から数えて第１番目のレンズである「凸面を物体側に向けた負メニスカスレンズ」により大口径の実現が可能である。
【００４１】
第２群には、正・負レンズによる接合レンズが、少なくとも１組含まれる。この接合レンズにより「軸上色収差」の良好な補正が可能となる。第２群は５枚構成であるから、接合レンズの他に３枚のレンズを用いることができ、これらレンズにより「コマフレア、非点隔差、像面湾曲」を効果的に補正することが可能である。
【００４２】
なお、後述の実施例では、バックフォーカス確保の目的も含め、第２群を「接合レンズ・負レンズ・正レンズ・正レンズ」の組み合わせ配置により構成しているが、この組み合わせ以外でも「接合レンズの他に３枚のレンズ」を用いれば諸収差の補正が可能であり、第２群のレンズ構成は実施例のものに限定されない。
【００４３】
請求項１の結像レンズは前述の如く、有限物体距離の物体に合焦するときに、第１群と第２群の繰り出し量が異なり、物体距離に応じた合焦動作により、第１群と第２群との群間隔が異なる。
【００４４】
条件（１）は、このような「合焦動作に伴うレンズ間隔の変化」を考慮したものであり、条件（１）の範囲外では、レンズ間隔変化により発生する軸上色収差が過剰補正の傾向となり、コマ収差も大きく発生しやすい。
【００４５】
条件（２）は、第１群の最も物体側に位置する負メニスカスレンズの焦点距離：ｆ１１（＜０）と、全系の焦点距離：Ｆ（＞０）の大小関係の範囲を規制する条件である。  
この発明の結像レンズは、第１群の最も物体側に「凸面を物体側に向けた負メニスカスレンズ」を配することにより「大口径」を可能としており、条件（２）の下限また上限を超えると、物体側から第１番目のレンズである負メニスカスレンズの屈折力が、全系の屈折力に対して、大きくもしくは小さくなりすぎ、入射光線束の入射角が大きく影響され、コマ収差が大きくなる。
【００４６】
また「大口径と言う条件」の下で、条件（３）の範囲外では、入射光線束の入射角が大きく影響され、球面収差、コマ収差が大きく発生する。
【００４７】
条件（４）は、第１群の最も物体側の２枚の負レンズの合成の屈折力に対する第１の負レンズ（凸面を物体側に向けた負メニスカスレンズ）の屈折力の大小関係の範囲を規制する条件である。
【００４８】
条件（４）の上限または下限を超えると、第１群内の最も物体側に配される２枚の負レンズの「屈折力バランス」が崩れ、軸上色収差が過剰補正となるほか、入射光線の角度も大きく変化してコマ収差が大きくなる
条件（５）は、軸上色収差を良好に補正する条件である。  
第１群の最も像側を「正・負レンズの接合レンズ」とすることにより、この接合レンズに軸上色収差補正機能を持たせることができるが、条件（５）の範囲外では、軸上色収差の補正が過剰となってしまう。
【００４９】
後述する実施例で、第１群内に接合レンズを用いる例では、接合レンズの「正の屈折力を有するレンズ」には、Ｎｄ３＝１．８以上、νｄ３≒４０前後の「高屈折率・低分散ガラス」を用い、負の屈折力を有するレンズには、Ｎｄ４＝１．８以上、νｄ４＝２３前後の「高屈折率・高分散ガラス」を用いて、軸上色収差を最適化している。
【００５０】
請求項５記載の結像レンズは、上記の如く、第１群の正レンズが両凸レンズで、第２群の最も物体側が両凸レンズである。第１群の像側は、両凸レンズ単独で構成することもできるし、両凸レンズとその像側に凹レンズを配して構成することもでき、両凸レンズの像側に凹レンズを配するときは、両凸レンズとこの凹レンズとを接合レンズとすることもできる。
【００５１】
また、第２群の最も物体側を両凸レンズとする場合、この両凸レンズの像側に負レンズを接合することができる。
【００５２】
条件（６）は、これら両凸レンズが単独であるいは接合レンズとして用いられる何れの場合にも、両凸レンズの屈折力の大小関係を規制する条件である。
【００５３】
この発明の結像レンズは、第１群の最も物体側が２枚の負レンズであるので、第１群の最も像側のレンズと第２群の最も物体側のレンズの位置が「光線束が最も大きく」なる部分であり、これらの部分での光線束の大小関係が、球面収差に大きく影響する。  
条件（６）の上限または下限を超えると、球面収差のバランスが崩れ、像面の中心像性能に影響を及ぼす。
【００５４】
条件（７）は「非点収差、コマ収差、球面収差の補正」に関連した条件であり、下限を超えると、非点隔差が大きくなり、また、過大なコマ収差が発生し、光学全長も大きくなる。
【００５５】
条件（７）の上限を超えると、球面収差がアンダー側に大きく発生し、非点隔差も大きくなり、像性能に大きな影響をもたらす。
【００５６】
条件（８）は、歪曲収差、非点隔差の補正に関連した条件であり、下限または上限を超えると、歪曲収差がマイナスまたはプラスに大きく発生し、非点隔差も過大となる。
【００５７】
第１群の「最も像側のレンズ面」と、第２群の「最も物体側のレンズ面」とは、請求項８のように「共に凸形状」であることが好ましい。即ち、請求項８のように「第１群と第２群の間に配置される絞り」を介して隣接するレンズ面を対称系に近い形状にすることにより、特に倍率色収差の発生、非点収差、歪曲収差を抑制することが可能となる。
【００５８】
後述の実施例に示すように、上記条件（１）〜（８）を満足することにより、明るく、性能良好でコンパクトな結像レンズを実現できる。
【００５９】
この発明の結像レンズは、上述の如く、有限の物体距離への合焦を「第１群と第２群を異なる繰り出し量で変位」させて行う。  
条件（９）は、このような「有限物体距離への合焦」に関連した条件である。  
即ち、パラメータにおける｜（Ｄ１∞−Ｄ１ｔ）／（Ｄ２∞−Ｄ２ｔ）｜の部分は、無限遠合焦の状態から「基準最短撮像距離への合焦」の際の、第１群と第２群との繰り出し量の比であり、｜（Ｄ１∞−Ｄ１ｔ）／（Ｄ２∞−Ｄ２ｔ）｜が「０（Ｄ１∞＝Ｄ１ｔ）」であれば、第１群と第２群の繰り出し量は同一であり、結像レンズが一体として物体側へ変位して合焦を行なうことになる。
【００６０】
条件（９）の下限を超えると「第１群の移動量（繰り出し量）」が小さくなり、各群の製造誤差感度が上昇し、レンズ組みつけの際に極めて高精度の組み付け作業が必要となり、製造コストの面から好ましくない。
【００６１】
また、基準最短撮像距離よりも長い物体位置に合焦させる場合に、第１群の「小さい繰り出し量」を正確に実現することも困難となりやすい。
【００６２】
条件（９）の上限を超えると、第１、第２群の「合焦のための移動量」が大きくなる。
【００６３】
合焦のための繰り出し量が大きくなると、カメラ装置や携帯情報端末装置の操作性や携帯性も悪くなり易く、また、高速撮像に必要な「高速のフォーカシング」の実現も困難となり易い。
【発明の効果】
【００６４】
以上に説明したように、この発明によれば、正・正の２群構造で、良好な性能とコンパクト性を実現可能な結像レンズを提供できる。この発明の結像レンズは、後述する実施例に示すように、半画角：３５．６度〜４１度という広角を実現でき、Ｆナンバ：２．５１〜２．６４と明るく、性能も良好である。
【００６５】
従って、かかる結像レンズを撮影レンズとすることにより性能良好なカメラ装置や携帯情報端末装置を実現できる。
【００６６】
また、後述する各実施例では、対角長：２８．６ｍｍの矩形形状の撮像面を持つ１０００万画素の固体撮像素子に対し、光学全長（結像レンズの最も物体側のレンズ面から撮像面までの距離）が、上記対角長の略１．７倍（無限遠合焦状態）のコンパクトな撮像装置が可能になった。
【図面の簡単な説明】
【００６７】
【図１】実施例１の結像レンズのレンズ構成を示す図である。
【図２】実施例１に関する収差図である。
【図３】実施例２の結像レンズのレンズ構成を示す図である。
【図４】実施例２に関する収差図である。
【図５】実施例３の結像レンズのレンズ構成を示す図である。
【図６】実施例３に関する収差図である。
【図７】実施例４の結像レンズのレンズ構成を示す図である。
【図８】実施例４に関する収差図である。
【図９】実施例５の結像レンズのレンズ構成を示す図である。
【図１０】実施例５に関する収差図である。
【図１１】実施例６の結像レンズのレンズ構成を示す図である。
【図１２】実施例６に関する収差図である。
【図１３】実施例７の結像レンズのレンズ構成を示す図である。
【図１４】実施例７に関する収差図である。
【図１５】実施例８の結像レンズのレンズ構成を示す図である。
【図１６】実施例８に関する収差図である。
【図１７】実施例９の結像レンズのレンズ構成を示す図である。
【図１８】実施例９に関する収差図である。
【図１９】実施例１０の結像レンズのレンズ構成を示す図である。
【図２０】実施例１０に関する収差図である。
【図２１】携帯情報端末装置の実施の１形態を説明するための図である。
【図２２】携帯情報端末装置のシステム図である。
【発明を実施するための形態】
【００６８】
以下、実施の形態を説明する。
図１、３、５、７、９、１１、１３、１５、１７、１９に、結像レンズの実施の形態を１０例示す。これらの図に示す形態は、結像レンズの「物体距離が無限遠」のときのレンズ配置を示している。
これらの実施の形態は順に、後述の実施例１〜１０に対応するものである。
【００６９】
繁雑を避けるため、上記図１、３、５、７、９、１１、１３、１５、１７、１９において、符号を共通化し、物体側である図の左方から数えてｉ番目のレンズに符号Ｌｉを付し、絞りは符号「Ｓｔｏｐ」で表す。また、レンズ系の物体側に配された透明平行平板は、撮像素子のカバーガラスや各種フィルタ等を「光学的に等価な透明平行平板」として表したものである。
【００７０】
また、絞りＳｔｏｐの面、上記透明平行平板の面を含む面に、通し番号１、２、３・・を付して「面番号」とする。
【００７１】
図１に示す実施の形態では、結像レンズは９枚のレンズＬ１〜Ｌ９で構成され、絞りＳｔｏｐの物体側に配されたレンズＬ１〜Ｌ４が第１群を構成し、絞りＳｔｏｐの像側（図の右方）に配されたレンズＬ５〜Ｌ９が第２群を構成している。
【００７２】
第１群を構成するレンズＬ１〜Ｌ４は、物体側から順に、凸面を物体側に向けた負メニスカスレンズＬ１、凸面を像側に向けた負メニスカスレンズＬ２、両凸レンズＬ３、凸面を像側に向けた負メニスカスレンズＬ４である。両凸レンズＬ３と負メニスカスレンズＬ４は接合されている。
【００７３】
第２群を構成するレンズＬ５〜Ｌ９は、物体側から順に、両凸レンズＬ５、両凹レンズＬ６、負メニスカスレンズＬ７、正メニスカスレンズＬ８、像側に凸面を向けた正メニスカスレンズＬ９である。両凸レンズＬ５と両凹レンズＬ６は接合され、負メニスカスレンズＬ７と正メニスカスレンズＬ８も接合されている。
【００７４】
図３に示す実施の形態では、結像レンズは９枚のレンズＬ１〜Ｌ９で構成され、絞りＳｔｏｐの物体側に配されたレンズＬ１〜Ｌ４が第１群を構成し、絞りＳｔｏｐの像側（図の右方）に配されたレンズＬ５〜Ｌ９が第２群を構成している。
【００７５】
第１群を構成するレンズＬ１〜Ｌ４は、物体側から像側に向かって順に、凸面を物体側に向けた負メニスカスレンズＬ１、像面側を平面とした平凹レンズＬ２、両凸レンズＬ３、凸面を像側に向けた負メニスカスレンズＬ４である。両凸レンズＬ３、負メニスカスレンズＬ４は接合されている。
【００７６】
第２群を構成するレンズＬ５〜Ｌ９は、物体側から、両凸レンズＬ５、両凹レンズＬ６、両凹レンズＬ７、両凸レンズＬ８、凸面を像側に向けた正メニスカスレンズＬ９である。両凸レンズＬ５と両凹レンズＬ６は接合され、両凹レンズＬ７と両凸レンズＬ８も接合されている。
【００７７】
図５に示す実施の形態では、結像レンズは８枚のレンズＬ１〜Ｌ８で構成され、絞りＳｔｏｐの物体側の第１群がレンズＬ１〜Ｌ３の３枚により構成され、第２群はレンズＬ４〜Ｌ８の５枚で構成されている。
【００７８】
第１群を構成する３枚のレンズＬ１〜Ｌ３は、物体側から順に、凸面を物体側に向けた負メニスカスレンズＬ１、物体側を平面とした平凹レンズＬ２、両凸レンズＬ３である。
【００７９】
第２群を構成する５枚のレンズＬ４ないしＬ８は、両凸レンズＬ４、両凹レンズＬ５、両凹レンズＬ６，両凸レンズＬ７、像側に凸面を向けた正メニスカスレンズＬ８である。
【００８０】
レンズＬ４とＬ５は接合され、レンズＬ６とＬ７も接合されている。
【００８１】
図７に示す実施の形態では、結像レンズは８枚のレンズＬ１〜Ｌ８で構成され、絞りＳｔｏｐの物体側の第１群がレンズＬ１〜Ｌ３の３枚により構成され、第２群はレンズＬ４〜Ｌ８の５枚で構成されている。
【００８２】
第１群を構成する３枚のレンズＬ１〜Ｌ３は、物体側から順に、凸面を物体側に向けた負メニスカスレンズＬ１、凸面を像側に向けた負メニスカスレンズＬ２、両凸レンズＬ３である。
【００８３】
第２群を構成する５枚のレンズＬ４ないしＬ８は、両凸レンズＬ４、両凹レンズＬ５、物体側に凹面を向けた負メニスカスレンズＬ６、像側に凸面を向けた正メニスカスレンズＬ７、像側に凸面を向けた正メニスカスレンズＬ８である。
【００８４】
両凸レンズＬ４と両凹レンズＬ５は接合され、物体側に凹面を向けた負メニスカスレンズＬ６と像側に凸面を向けた正メニスカスレンズＬ７も接合されている。
【００８５】
図９に示す実施の形態では、結像レンズは９枚のレンズＬ１〜Ｌ９で構成され、絞りＳｔｏｐの物体側に配されたレンズＬ１〜Ｌ４が第１群を構成し、絞りＳｔｏｐの像側（図の右方）に配されたレンズＬ５〜Ｌ９が第２群を構成している。
【００８６】
第１群を構成するレンズＬ１〜Ｌ４は、図１の実施の形態と同じく、物体側から像側へ向かって、凸面を物体側に向けた負メニスカスレンズＬ１、凸面を像側に向けた負メニスカスレンズＬ２、両凸レンズＬ３、凸面を像側に向けた負メニスカスレンズＬ４である。
【００８７】
両凸レンズＬ３と負メニスカスレンズＬ４は接合されている。
【００８８】
第２群を構成するレンズＬ５〜Ｌ９は、物体側から、両凸レンズＬ５、両凹レンズＬ６、凸面を像側に向けた負メニスカスレンズＬ７、両凸レンズＬ８、凸面を像側に向けた正メニスカスレンズＬ９である。両凸レンズＬ５と両凹レンズＬ６は接合されている。
【００８９】
図１１に示す実施の形態では、結像レンズは９枚のレンズＬ１〜Ｌ９で構成され、絞りＳｔｏｐの物体側に配されたレンズＬ１〜Ｌ４が第１群を構成し、絞りＳｔｏｐの像側（図の右方）に配されたレンズＬ５〜Ｌ９が第２群を構成している。
【００９０】
第１群を構成するレンズＬ１〜Ｌ４は、物体側から像側へ向かって、凸面を物体側に向けた負メニスカスレンズＬ１、凸面を像側に向けた負メニスカスレンズＬ２、両凸レンズＬ３、凸面を像側に向けた負メニスカスレンズＬ４である。負メニスカスレンズＬ４は両凸レンズＬ３の像側に近接しているが接合されてはいない。
【００９１】
第２群を構成するレンズＬ５〜Ｌ９は、物体側から、両凸レンズＬ５、両凹レンズＬ６、両凹レンズＬ７、両凸レンズＬ８、凸面を像側に向けた正メニスカスレンズＬ９である。両凹レンズＬ７と両凸レンズＬ８が接合されている。
【００９２】
図１３に示す実施の形態では、結像レンズは９枚のレンズＬ１〜Ｌ９で構成され、絞りＳｔｏｐの物体側に配されたレンズＬ１〜Ｌ４が第１群を構成し、絞りＳｔｏｐの像側（図の右方）に配されたレンズＬ５〜Ｌ９が第２群を構成している。
【００９３】
第１群を構成するレンズＬ１〜Ｌ４は、物体側から像側へ向かって、凸面を物体側に向けた負メニスカスレンズＬ１、凸面を像側に向けた負メニスカスレンズＬ２、両凸レンズＬ３、凸面を像側に向けた負メニスカスレンズＬ４である。負メニスカスレンズＬ４は両凸レンズＬ３の像側に近接しているが接合されてはいない。
【００９４】
第２群を構成するレンズＬ５〜Ｌ９は、物体側から、両凸レンズＬ５、両凹レンズＬ６、両凹レンズＬ７、両凸レンズＬ８、凸面を像側に向けた正メニスカスレンズＬ９である。両凸レンズＬ５と両凹レンズＬ６が接合され、両凹レンズＬ７と両凸レンズＬ８が接合されている。
【００９５】
図１５に示す実施の形態では、結像レンズは９枚のレンズＬ１〜Ｌ９で構成され、絞りＳｔｏｐの物体側に配されたレンズＬ１〜Ｌ４が第１群を構成し、絞りＳｔｏｐの像側（図の右方）に配されたレンズＬ５〜Ｌ９が第２群を構成している。
【００９６】
第１群を構成するレンズＬ１〜Ｌ４は、物体側から像側へ向かって、凸面を物体側に向けた負メニスカスレンズＬ１、両凹レンズＬ２、両凸レンズＬ３、凸面を像側に向けた負メニスカスレンズＬ４である。両凸レンズＬ３と負メニスカスレンズＬ４は接合されている。
【００９７】
第２群を構成するレンズＬ５〜Ｌ９は、物体側から、両凸レンズＬ５、両凹レンズＬ６、凸面を像側に向けた負メニスカスレンズＬ７、凸面を像側に向けた正メニスカスレンズＬ８、凸面を像側に向けた正メニスカスレンズＬ９である。両凸レンズＬ５と両凹レンズＬ６が接合されている。
【００９８】
図１７に示す実施の形態では、結像レンズは９枚のレンズＬ１〜Ｌ９で構成され、絞りＳｔｏｐの物体側に配されたレンズＬ１〜Ｌ４が第１群を構成し、絞りＳｔｏｐの像側（図の右方）に配されたレンズＬ５〜Ｌ９が第２群を構成している。
【００９９】
第１群を構成するレンズＬ１〜Ｌ４は、物体側から像側へ向かって、凸面を物体側に向けた負メニスカスレンズＬ１、両凹レンズＬ２、両凸レンズＬ３、凸面を像側に向けた負メニスカスレンズＬ４である。両凸レンズＬ３と負メニスカスレンズＬ４は接合されている。
【０１００】
第２群を構成するレンズＬ５〜Ｌ９は、物体側から、両凸レンズＬ５、両凹レンズＬ６、両凹レンズＬ７、両凸レンズＬ８、凸面を像側に向けた正メニスカスレンズＬ９である。両凸レンズＬ５と両凹レンズＬ６が接合され、両凹レンズＬ７と両凸レンズＬ８が接合されている。
【０１０１】
図１９に示す実施の形態では、結像レンズは８枚のレンズＬ１〜Ｌ８で構成され、絞りＳｔｏｐの物体側に配されたレンズＬ１〜Ｌ３が第１群を構成し、レンズＬ４〜Ｌ８が第２群を構成している。
【０１０２】
第１群を構成するレンズＬ１〜Ｌ３は、物体側から像側へ向かって、凸面を物体側に向けた負メニスカスレンズＬ１、凸面を像側に向けた負メニスカスレンズＬ２、両凸レンズＬ３である。
【０１０３】
第２群を構成するレンズＬ４〜Ｌ８は、物体側から、両凸レンズＬ４、両凹レンズＬ５、両凹レンズＬ６、両凸レンズＬ７、凸面を像側に向けた正メニスカスレンズＬ８である。両凸レンズＬ４と両凹レンズＬ５が接合され、両凹レンズＬ６と両凸レンズＬ７が接合されている。
【０１０４】
上に、図１、３、５、７，９，１１、１３、１５、１７、１９に即して実施の形態を説明した結像レンズは何れも、物体側（図の左方）から像側（図の右方）へ向かって順に、正の屈折力を有する第１群、絞りＳｔｏｐ、正の屈折力を有する第２群を配してなる。
【０１０５】
第１群は、２枚以上の負レンズと１枚の正レンズを含んで４枚以下のレンズで構成され、最も物体側の２枚のレンズＬ１、Ｌ２は共に負レンズで、最も物体側の負レンズＬ１は凸面を物体側に向けた負メニスカスレンズである。
【０１０６】
第２群は、正・負レンズの接合レンズを少なくとも１組含む５枚のレンズで構成されている。
【０１０７】
これらの実施の形態の結像レンズは「第１群と第２群を異なる繰り出し量で、それぞれ物体側へ変位させて有限の物体距離への合焦」を行い、後述する実施例１〜１０に示すように、条件（１）〜（９）を満足する。
【０１０８】
図２１、２２を参照して、携帯情報端末装置の実施の１形態を説明する。  
図２１はカメラ装置（携帯情報端末装置のカメラ機能部）の外観を示し、図２２は携帯情報端末装置のシステム構成を示している。  
図２２に示すように、携帯情報端末装置３０は、撮影レンズ３１と受光素子（１０００万画素〜１５００万画素が２次元に配列された電子撮像素子）４５を有し、撮影レンズ３１によって形成される「撮影対象物の像」を受光素子４５によって読み取るように構成されている。
【０１０９】
撮影レンズ３１としては請求項１〜９の任意の１に記載の「結像レンズ」、より具体的には後述の実施例１〜１０の結像レンズが用いられる。
【０１１０】
受光素子４５からの出力は中央演算装置４０の制御を受ける信号処理装置４２によって処理され、デジタル情報に変換され、デジタル化された画像情報は、中央演算装置４０の制御を受ける画像処理装置４１において所定の画像処理を受けた後、半導体メモリ４４に記録される。
【０１１１】
液晶モニタ３８には、画像処理装置４１において画像処理された撮影中の画像を表示することもできるし、半導体メモリ４４に記録されている画像を表示することもできる。また、半導体メモリ４４に記録した画像は通信カード等４３を使用して外部へ送信することができる。
【０１１２】
画像処理装置４１は「シェーディングの電気的な補正」や「画像中心部のトリミング」等を行なう機能も有する。
【０１１３】
図２１に示すように、撮影レンズ３１は携帯時には、図２１（ａ）に示すように沈胴状態にあり、ユーザが電源スイッチ３６を操作して電源を入れると、（ｂ）に示すように鏡胴が繰り出される。
【０１１４】
このとき、鏡胴の内部でズームレンズの各群は「物体距離が無限遠の配置」となっており、シャッタボタン３５の半押しにより「有限物体距離への合焦」がなされる。
【０１１５】
合焦動作は「第１群と第２群を異なる繰り出し量で変位させて行なわれる。
【０１１６】
半導体メモリ４４に記録した画像を液晶モニタ３８に表示したり、通信カード等を使用して外部へ送信したりする際は、図２１（ｃ）に示す操作ボタン３７を使用して行う。半導体メモリおよび通信カード等は、それぞれ専用または汎用のスロット３９Ａ、３９Ｂに挿入して使用される。
【０１１７】
撮影レンズ３１が沈胴状態にあるとき、各レンズ群は、必ずしも光軸上に並んでいなくても良く、例えば、第１群や第２群が光軸上から退避して、他のレンズ群と並列に収納されるような機構とすれば、携帯情報端末装置のさらなる薄型化を実現できる。
【０１１８】
以上に説明したような「カメラ装置を撮影機部として有する携帯情報端末装置」には、実施例１〜１０の結像レンズを撮影レンズ３１として使用することができ、１０００万画素を超える受光素子４５を使用した高画質で小型のカメラ機能を持つ携帯情報端末装置を実現できる。
【実施例】
【０１１９】
以下、結像レンズの具体的な実施例を１０例挙げる。
各実施例における記号の意味は以下の通りである。
【０１２０】
Ｆ：光学系全体の焦点距離  
Ｆｎｏ：開口数（Ｆナンバ）  
Ｒ：曲率半径  
Ｄ：面間隔  
Ｎｄ：屈折率（ｄ線）  
νｄ：アッベ数                                      。
【０１２１】
非球面は、面の頂点を基準としたときの光軸からの高さ：Ｈの位置での光軸方向の変位：Ｘ、円錐係数：ｋ、非球面係数：Ｃ４、Ｃ６、Ｃ８、Ｃ１０、・・・、近軸曲率半径：Ｒを用いて、周知の式：  
Ｘ＝（Ｈ２／Ｒ）／［１＋｛１−ｋ（Ｈ／ｒ）２｝１／２］  
＋Ｃ４Ｈ４＋Ｃ６Ｈ６＋Ｃ８Ｈ８＋Ｃ１０Ｈ１０＋・・・
で表わす。
【０１２２】
「実施例１」
実施例１のレンズ構成は図１に示した通りである。
【０１２３】
Ｆ＝１８．３ｍｍ、Ｆｎｏ＝２．５１    
実施例１のデータを表１に示す。  
【０１２４】
【表１】
0005716547.tif 000002
【０１２５】
表中の「ＩＮＦ」は「∞」を表し、「＊」を付した面は非球面を表す。  
また「Ｄ１」、「Ｄ２」は、合焦動作に伴う第１群、第２群の繰り出し量である。以下の実施例においても同様とする。
【０１２６】
「非球面」
第１６面の非球面データは以下のとおりである。
【０１２７】
ｋ＝−２．６７  
Ｃ４＝−８．１８７Ｅ−０５  
Ｃ６＝−７．３３３Ｅ−０８  
Ｃ８＝−８．４６９Ｅ−０９  
Ｃ１０＝−７．１９２Ｅ−１１    
Ｃ１２＝−１．３９９Ｅ−１３  
Ｃ１４＝  ３．８９２Ｅ−１５  
Ｃ１６＝  ２．７７９Ｅ−１７  
Ｃ１８＝−３．２３５Ｅ−１９                                    
上記において例えば「−３．２３５Ｅ−１９」は「−３．２３５×１０−１９」を意味する。以下においても同様である。
【０１２８】
「繰り出し量」  
繰り出し量：Ｄ１、Ｄ２を表２に示す。繰り出し量の単位は「ｍｍ」である。以下の実施例においても同様である。
【０１２９】
【表２】
0005716547.tif 000003
【０１３０】
「条件式のパラメータの値」
ｄ１２−３／ｄ１１−２＝０．０２    
｜ｆ１１／Ｆ｜＝１．６  
Ｒ１２／Ｒ１３＝−０．６  
ｆ１ｎ１／ｆ１ｎ１２＝１．９  
ｆ１ｅ／ｆ２１＝１．２  
Ｎｄ３・νｄ３−Ｎｄ４・νｄ４＝３６．７  
｜Ｒ１1／Ｒ２ｅ｜＝０．８  
｜Ｒ１ｅ／Ｒ２１｜＝１．６    
Ｌｏｇ｜（Ｄ１∞−Ｄ１ｔ）／（Ｄ２∞−Ｄ２ｔ）｜＝−０．５１          。
【０１３１】
「実施例２」
実施例２のレンズ構成は図３に示した通りである。  
Ｆ＝１８．３ｍｍ、Ｆｎｏ＝２．５１  
実施例２のデータを表３に示す。  
【０１３２】
【表３】
0005716547.tif 000004
【０１３３】
「非球面」
第２面    
ｋ＝−０．５８３  
Ｃ４＝  ７．８１６Ｅ−０５  
Ｃ６＝  ７．０６３Ｅ−０７  
Ｃ８＝  １．４１１Ｅ−０８  
Ｃ１０＝  −２．７８７Ｅ−１０  
Ｃ１２＝  ４．５８９Ｅ−１２    
第１６面  
ｋ＝０．０００  
Ｃ４＝  ８．４３６Ｅ−０５  
Ｃ６＝−１．８６４Ｅ−０７    
Ｃ８＝  １．０４８Ｅ−０８    
Ｃ１０＝−９．８５２Ｅ−１１  
Ｃ１２＝  ３．８９１Ｅ−１３                                。
【０１３４】
「繰り出し量」  
繰り出し量：Ｄ１、Ｄ２を表４に示す。
【０１３５】
【表４】
0005716547.tif 000005
【０１３６】
「条件式のパラメータの値」
ｄ１２−３／ｄ１１−２＝０．０２  
｜ｆ１１／Ｆ｜＝１．８  
Ｒ１２／Ｒ１３＝−０．５    
ｆ１ｎ１／ｆ１ｎ１２＝１．９    
Ｎｄ３・νｄ３−Ｎｄ４・νｄ４＝３５．６  
ｆ１ｅ／ｆ２１＝１．２  
｜Ｒ１1／Ｒ２ｅ｜＝０．７  
｜Ｒ１ｅ／Ｒ２１｜＝３．７  
Ｌｏｇ｜（Ｄ１∞−Ｄ１ｔ）／（Ｄ２∞−Ｄ２ｔ）｜＝−０．７６          。
【０１３７】
「実施例３」
実施例３のレンズ構成は図５に示した通りである。  
Ｆ＝１８．３ｍｍ、Ｆｎｏ＝２．５６          
実施例３のデータを表５に示す。
【０１３８】
【表５】
0005716547.tif 000006
【０１３９】
「非球面」
第１面  
ｋ＝０．００  
Ｃ４＝  ６．８４８Ｅ−０５  
Ｃ６＝−１．３９２Ｅ−０６  
Ｃ８＝  １．１２３Ｅ−０８  
Ｃ１０＝−４．３７２Ｅ−１１    
Ｃ１２＝  ６．５７１Ｅ−１４      
第２面  
ｋ＝−０．１１８  
Ｃ４＝  ７．３３４Ｅ−０５  
Ｃ６＝  ５．９８２Ｅ−０８  
Ｃ８＝−３．９６７Ｅ−０８  
Ｃ１０＝  ５．９０９Ｅ−１０  
Ｃ１２＝−３．０２１Ｅ−１２    
第１５面    
ｋ＝０．００  
Ｃ４＝  ８．３３３Ｅ−０５    
Ｃ６＝−３．４０２Ｅ−０７  
Ｃ８＝  １．６３３Ｅ−０８  
Ｃ１０＝−１．８２０Ｅ−１０  
Ｃ１２＝  ８．１５４Ｅ−１３                                。
【０１４０】
「繰り出し量」  
繰り出し量：Ｄ１、Ｄ２を表６に示す。
【０１４１】
【表６】
0005716547.tif 000007
【０１４２】
「条件式のパラメータの値」
ｄ１２−３／ｄ１１−２＝０．１  
｜ｆ１１／Ｆ｜＝１．５  
Ｒ１２／Ｒ１３＝０．０  
ｆ１ｎ１／ｆ１ｎ１２＝０．９  
ｆ１ｅ／ｆ２１＝２．１  
｜Ｒ１1／Ｒ２ｅ｜＝１．２  
｜Ｒ１ｅ／Ｒ２１｜＝３３．４  
Ｌｏｇ｜（Ｄ１∞−Ｄ１ｔ）／（Ｄ２∞−Ｄ２ｔ）｜＝−０．６３          。
【０１４３】
「実施例４」
実施例４のレンズ構成は図７に示したとおりである。
【０１４４】
Ｆ＝１８．３ｍｍ、Ｆｎｏ＝２．５６    
実施例４のデータを表７に示す。
【０１４５】
【表７】
0005716547.tif 000008
【０１４６】
「非球面」
第１面  
ｋ＝３．７８２  
Ｃ４＝  ２．１１９Ｅ−０４  
Ｃ６＝−３．９８５Ｅ−０６  
Ｃ８＝  ３．１８９Ｅ−０８  
Ｃ１０＝−１．６６６Ｅ−１０    
第２面  
ｋ＝０．２３５    
Ｃ４＝  ２．７１６Ｅ−０４  
Ｃ６＝−２．０６５Ｅ−０６  
Ｃ８＝−３．０７３Ｅ−０８    
Ｃ１０＝  ８．７８７Ｅ−１０  
Ｃ１２＝−９．４２８Ｅ−１２    
第１４面  
ｋ＝０．００  
Ｃ４＝−９．１７４Ｅ−０５  
Ｃ６＝  ９．４２３Ｅ−０８    
Ｃ８＝−１．１１０Ｅ−０８    
Ｃ１０＝  １．８３０Ｅ−１０  
Ｃ１２＝−３．４５９Ｅ−１２  
Ｃ１４＝  ３．６６７Ｅ−１４  
Ｃ１６＝−１．７２９Ｅ−１６                          。
【０１４７】
「繰り出し量」  
繰り出し量：Ｄ１、Ｄ２を表８に示す。
【０１４８】
【表８】
0005716547.tif 000009
【０１４９】
「条件式のパラメータの値」  
ｄ１２−３／ｄ１１−２＝０．０２  
｜ｆ１１／Ｆ｜＝１．６  
Ｒ１２／Ｒ１３＝−０．４    
ｆ１ｎ１／ｆ１ｎ１２＝２．０  
ｆ１ｅ／ｆ２１＝１．９  
｜Ｒ１1／Ｒ２ｅ｜＝１．０  
｜Ｒ１ｅ／Ｒ２１｜＝１．７  
Ｌｏｇ｜（Ｄ１∞−Ｄ１ｔ）／（Ｄ２∞−Ｄ２ｔ）｜＝−０．８５      。
【０１５０】
「実施例５」
実施例５のレンズ構成は図９に示したとおりである。
【０１５１】
Ｆ＝１８．３ｍｍ、Ｆｎｏ＝２．５３    
実施例５のデータを表９に示す。
【０１５２】
【表９】
0005716547.tif 000010
【０１５３】
「非球面」
第１６面  
ｋ＝０．００    
Ｃ４＝−９．８２４Ｅ−０５  
Ｃ６＝−２．０２８Ｅ−０７  
Ｃ８＝−１．９８１Ｅ−０９  
Ｃ１０＝  ２．４８３Ｅ−１２  
Ｃ１２＝−１.４４１Ｅ−１３                                          。
【０１５４】
「繰り出し量」  
繰り出し量：Ｄ１、Ｄ２を表１０に示す。
【０１５５】
【表１０】
0005716547.tif 000011
【０１５６】
「条件式のパラメータの値」
ｄ１２−３／ｄ１１−２＝０．０２  
｜ｆ１１／Ｆ｜＝１．４    
Ｒ１２／Ｒ１３＝−０．４    
ｆ１ｎ１／ｆ１ｎ１２＝１．６  
Ｎｄ３・νｄ３−Ｎｄ４・νｄ４＝３６．７  
ｆ１ｅ／ｆ２１＝１．１  
｜Ｒ１1／Ｒ２ｅ｜＝０．７  
｜Ｒ１ｅ／Ｒ２１｜＝２．７    
Ｌｏｇ｜（Ｄ１∞−Ｄ１ｔ）／（Ｄ２∞−Ｄ２ｔ）｜＝−０．７４        。
【０１５７】
「実施例６」
実施例６のレンズ構成は図１１に示したとおりである。
【０１５８】
Ｆ＝１６．５ｍｍ、Ｆｎｏ＝２．６４    
実施例６のデータを表１１に示す。
【０１５９】
【表１１】
0005716547.tif 000012
【０１６０】
「非球面」  
第２面  
ｋ＝−０．５６２  
Ｃ４＝  ９．６８３Ｅ−０５  
Ｃ６＝  １．５２７Ｅ−０６  
Ｃ８＝  ９．１１４Ｅ−０９  
Ｃ１０＝  ２．１８２Ｅ−１１  
Ｃ１２＝  ４．６８４Ｅ−１２    
「第１８面」  
ｋ＝１．９８３  
Ｃ４＝  １．１４０Ｅ−０４  
Ｃ６＝−２．７８８Ｅ−０７  
Ｃ８＝  １．６７２Ｅ−０８  
Ｃ１０＝−２．０８４Ｅ−１０  
Ｃ１２＝  ９．９８３Ｅ−１３  
Ｃ１４＝  ４．４６４Ｅ−１５  
Ｃ１６＝−６．３４２Ｅ−１７  
Ｃ１８＝  １．７００Ｅ−１９                      。
【０１６１】
「繰り出し量」  
繰り出し量：Ｄ１、Ｄ２を表１２に示す。
【０１６２】
【表１２】
0005716547.tif 000013
【０１６３】
「条件式のパラメータの値」
ｄ１２−３／ｄ１１−２＝０．０２  
｜ｆ１１／Ｆ｜＝１．７  
Ｒ１２／Ｒ１３＝−０．４  
ｆ１ｎ１／ｆ１ｎ１２＝２．１  
ｆ１ｅ／ｆ２１＝１．０  
｜Ｒ１1／Ｒ２ｅ｜＝０．７  
｜Ｒ１ｅ／Ｒ２１｜＝１．６  
Ｌｏｇ｜（Ｄ１∞−Ｄ１ｔ）／（Ｄ２∞−Ｄ２ｔ）｜＝−０．５０        。
【０１６４】
「実施例７」
実施例７のレンズ構成は図１３に示したとおりである。
【０１６５】
Ｆ＝１７．５ｍｍ、Ｆｎｏ＝２．５５    
実施例７のデータを表１３に示す。
【０１６６】
【表１３】
0005716547.tif 000014
【０１６７】
「非球面」
第２面  
ｋ＝−０．３４７  
Ｃ４＝  ４．０５０Ｅ−０５  
Ｃ６＝  ８．１６３Ｅ−０７  
Ｃ８＝−６．６２０Ｅ−１０    
Ｃ１０＝  ２．００８Ｅ−１０    
第１７面  
ｋ＝０．００  
Ｃ４＝  ８．８３６Ｅ−０５    
Ｃ６＝−１．８０３Ｅ−０７  
Ｃ８＝  １．０９３Ｅ−０８  
Ｃ１０＝−１．０９４Ｅ−１０  
Ｃ１２＝  ４．３４８Ｅ−１３                          。
【０１６８】
「繰り出し量」  
繰り出し量：Ｄ１、Ｄ２を表１４に示す。
【０１６９】
【表１４】
0005716547.tif 000015
【０１７０】
「条件式のパラメータの値」  
ｄ１２−３／ｄ１１−２＝０．０２  
｜ｆ１１／Ｆ｜＝１．８  
Ｒ１２／Ｒ１３＝−０．４  
ｆ１ｎ１／ｆ１ｎ１２＝２．２  
ｆ１ｅ／ｆ２１＝１．３    
｜Ｒ１1／Ｒ２ｅ｜＝０．７  
｜Ｒ１ｅ／Ｒ２１｜＝１．８    
Ｌｏｇ｜（Ｄ１∞−Ｄ１ｔ）／（Ｄ２∞−Ｄ２ｔ）｜＝−０．５１            。
【０１７１】
「実施例８」
実施例８のレンズ構成は図１５に示したとおりである。
【０１７２】
Ｆ＝１９．０ｍｍ、Ｆｎｏ＝２．５４    
実施例８のデータを表１５に示す。
【０１７３】
【表１５】
0005716547.tif 000016
【０１７４】
「非球面」
第１７面  
ｋ＝０．００  
Ｃ４＝  ６．９７８Ｅ−０５    
Ｃ６＝  １．６１８Ｅ−０７  
Ｃ８＝  ４．０３３Ｅ−１０  
Ｃ１０＝−１．５６３Ｅ−１２  
Ｃ１２＝  ９．２４３Ｅ−１５                          。
【０１７５】
「繰り出し量」  
繰り出し量：Ｄ１、Ｄ２を表１６に示す。
【０１７６】
【表１６】
0005716547.tif 000017
【０１７７】
「条件式のパラメータの値」
ｄ１２−３／ｄ１１−２＝０．０４    
｜ｆ１１／Ｆ｜＝１．４    
Ｒ１２／Ｒ１３＝−０．４    
ｆ１ｎ１／ｆ１ｎ１２＝１．７    
ｆ１ｅ／ｆ２１＝１．１    
Ｎｄ３・νｄ３−Ｎｄ４・νｄ４＝３６．７    
｜Ｒ１1／Ｒ２ｅ｜＝０．７      
｜Ｒ１ｅ／Ｒ２１｜＝３．４    
Ｌｏｇ｜（Ｄ１∞−Ｄ１ｔ）／（Ｄ２∞−Ｄ２ｔ）｜＝−０．６９          。
【０１７８】
「実施例９」
実施例９のレンズ構成は図１７に示したとおりである。
【０１７９】
Ｆ＝２０．３ｍｍ、Ｆｎｏ＝２．５５    
実施例９のデータを表１７に示す。
【０１８０】
【表１７】
0005716547.tif 000018
【０１８１】
「非球面」  
第２面  
ｋ＝０．３９５    
Ｃ４＝−４．７０２Ｅ−０５    
Ｃ６＝  ７．３７８Ｅ−０７    
Ｃ８＝−４．８４７Ｅ−０８    
Ｃ１０＝  ８．７２４Ｅ−１０  
Ｃ１２＝−７．９２９Ｅ−１２    
第１７面  
ｋ＝  ０．００  
Ｃ４＝  ７．８９６Ｅ−０５    
Ｃ６＝−１．４５０Ｅ−０６    
Ｃ８＝  ７．３９０Ｅ−０８    
Ｃ１０＝−１．９５１Ｅ−０９  
Ｃ１２＝  ３．２２１Ｅ−１１  
Ｃ１４＝−３．２３８Ｅ−１３    
Ｃ１６＝  １．８１５Ｅ−１５    
Ｃ１８＝−４．３４３Ｅ−１８                    。
【０１８２】
「繰り出し量」  
繰り出し量：Ｄ１、Ｄ２を表１８に示す。
【０１８３】
【表１８】
0005716547.tif 000019
【０１８４】
「条件式のパラメータの値」
ｄ１２−３／ｄ１１−２＝０．０２    
｜ｆ１１／Ｆ｜＝１．８    
Ｒ１２／Ｒ１３＝−０．５  
ｆ１ｎ１／ｆ１ｎ１２＝２．０  
ｆ１ｅ／ｆ２１＝１．１  
Ｎｄ３・νｄ３−Ｎｄ４・νｄ４＝３２．９  
｜Ｒ１1／Ｒ２ｅ｜＝０．７  
｜Ｒ１ｅ／Ｒ２１｜＝２．３    
Ｌｏｇ｜（Ｄ１∞−Ｄ１ｔ）／（Ｄ２∞−Ｄ２ｔ）｜＝−０．６２        。
【０１８５】
「実施例１０」
実施例１０のレンズ構成は図１９に示したとおりである。
【０１８６】
Ｆ＝１９．０ｍｍ、Ｆｎｏ＝２．５３    
実施例１０のデータを表１９に示す。
【０１８７】
【表１９】
0005716547.tif 000020
【０１８８】
「非球面」
第２面  
ｋ＝−０．５８６  
Ｃ４＝  ７．１０４Ｅ−０５  
Ｃ６＝  ８．８６１Ｅ−０７  
Ｃ８＝  ２．７１６Ｅ−０９  
Ｃ１０＝−７．１１７Ｅ−１１    
Ｃ１２＝  ２．０２９Ｅ−１２    
第１７面  
ｋ＝  ０．００  
Ｃ４＝  ７．９８７Ｅ−０５  
Ｃ６＝−３．３５４Ｅ−０７  
Ｃ８＝  １．７５０Ｅ−０８  
Ｃ１０＝−２．０１１Ｅ−１０  
Ｃ１２＝  ９．５７３Ｅ−１３                        。
【０１８９】
「繰り出し量」  
繰り出し量：Ｄ１、Ｄ２を表２０に示す。
【０１９０】
【表２０】
0005716547.tif 000021
【０１９１】
「条件式のパラメータの値」
ｄ１２−３／ｄ１１−２＝０．０２  
｜ｆ１１／Ｆ｜＝１．５  
Ｒ１２／Ｒ１３＝−０．５  
ｆ１ｎ１／ｆ１ｎ１２＝１．８  
ｆ１ｅ／ｆ２１＝２．１  
｜Ｒ１1／Ｒ２ｅ｜＝０．８  
｜Ｒ１ｅ／Ｒ２１｜＝１．８  
Ｌｏｇ｜（Ｄ１∞−Ｄ１ｔ）／（Ｄ２∞−Ｄ２ｔ）｜＝−０．５４          。
【０１９２】
実施例１〜１０に関する収差図を順次、図２、４、６、８、１０、１２、１４，１６、１８、２０に示す。これらの図中「ｄ」はｄ線、「ｇ」はｇ線を表す。非点収差の図における実線の「Ｓａｇ」はサジタル、破線の「Ｍｅｒ」はメリディオナルを表す。球面収差の図における破線は「正弦条件」である。
【０１９３】
これら収差図から明らかなように、各実施例とも、性能は極めて良好であり、
各実施例の収差は、高いレベルで補正されており、球面収差、非点収差、像面湾曲、倍率色収差も十分に補正されており、歪曲収差も絶対値で２．０％以下となっている。  
また、半画角も３８度以上（実施例１〜７）の広画角も可能であり、Ｆｎｏも２．５１〜２．６４と明るく大口径でありながら、良好な結像性能を確保できている。
【０１９４】
また、各実施例の結像レンズは上記の如く明るいレンズであり、条件（９）を満足することにより、合焦動作を短時間で行うことができるので、光束撮影も可能である。
【０１９５】
実施例１〜１０の結像レンズは何れも「基準最短撮像距離」が２００ｍｍに設定され、被写体に対して近接撮影も可能とされ、良好な性能を実現できる結像レンズである。
【符号の説明】
【０１９６】
Ｌｉ（ｉ＝１〜８、９）    物体側から数えて第ｉ番目のレンズ  
Ｓｔｏｐ    絞り  
【先行技術文献】
【特許文献】
【０１９７】
【特許文献１】特許第２９４２２８０
【特許文献２】特許第２９９１５２４
【特許文献３】特開２００６−３４９９２０
【特許文献４】特許第３３９２９６４
【図１】
0005716547.tif 000022
【図２】
0005716547.tif 000023
【図３】
0005716547.tif 000024
【図４】
0005716547.tif 000025
【図５】
0005716547.tif 000026
【図６】
0005716547.tif 000027
【図７】
0005716547.tif 000028
【図８】
0005716547.tif 000029
【図９】
0005716547.tif 000030
【図１０】
0005716547.tif 000031
【図１１】
0005716547.tif 000032
【図１２】
0005716547.tif 000033
【図１３】
0005716547.tif 000034
【図１４】
0005716547.tif 000035
【図１５】
0005716547.tif 000036
【図１６】
0005716547.tif 000037
【図１７】
0005716547.tif 000038
【図１８】
0005716547.tif 000039
【図１９】
0005716547.tif 000040
【図２０】
0005716547.tif 000041
【図２１】
0005716547.tif 000042
【図２２】
0005716547.tif 000043